(57)【特許請求の範囲】
【請求項１】
プラズマ処理システムの処理チャンバ内のプロセスパラメータを測定するための装置であって、
上側電極の開口部内に配置され、プローブヘッドを備えたプローブ構造であって、前記プローブヘッドは、
プラズマ対向面を備えた円筒形のプラグであり、前記上側電極の前記開口部内に配置されたヘッド部と、
前記ヘッド部よりも大きい直径を有する中空の円筒形構造であり、前記上側電極の上面の上方に配置されたフランジ部とを備え、
前記上側電極の前記上面と、前記プローブヘッドの前記フランジ部の下側対向面との間に配置されたＯ−リングと、
前記プローブ構造が前記上側電極の前記開口部内に挿入された時に前記上側電極と接触しないように、前記プローブヘッドの前記ヘッド部の前記上側電極表面に対して垂直な垂直側壁と前記上側電極の前記開口部の前記上側電極表面に対して垂直な垂直側壁との間に配置される電気絶縁材料から形成されたスペーサであって、
前記プローブヘッドの前記フランジ部の下側を支持するように少なくとも構成されたディスク部と、
前記プローブヘッドの前記ヘッド部を囲むよう構成され、前記ディスク部よりも小さい直径を有する中空円筒部とを備えるスペーサと
を備え、
前記スペーサは、前記Ｏ−リングと前記処理チャンバへの開口部との間に直角経路を形成することによって、前記Ｏ−リングと前記処理チャンバへの前記開口部との間の直接的な見通しを防止する、装置。
【請求項２】
請求項１に記載の装置であって、前記プローブ構造はイオン束プローブである装置。
【請求項３】
請求項１に記載の装置であって、前記プローブヘッドはシリコンから形成される装置。
【請求項４】
請求項１に記載の装置であって、前記プローブヘッドの前記プラズマ対向面は、前記上側電極のプラズマ対向面と同一平面上にある装置。
【請求項５】
請求項１に記載の装置であって、前記スペーサは窒化シリコン（ＳｉＮ）から形成される装置。
【請求項６】
請求項１に記載の装置であって、前記スペーサは、前記ヘッド部の前記垂直側壁と前記上側電極の前記開口部の前記垂直側壁との間に高アスペクト比のギャップを形成し、前記高アスペクト比のギャップは、上側電極表面と平行な方向である水平方向の幅よりも大きい垂直方向の長さを有する装置。
【請求項７】
請求項１に記載の装置であって、前記プローブヘッドは、導電材料から形成されたソケットと電気的に接触する装置。
【請求項８】
請求項７に記載の装置であって、前記プローブヘッドは、導電性のはんだによって前記ソケットに結合される装置。
【請求項９】
請求項８に記載の装置であって、接点ロッドが前記ソケット内に挿入されており、前記接点ロッドは、前記プローブヘッドから得られた測定データを少なくとも受信して中継するよう構成されている装置。
【請求項１０】
請求項１に記載の装置であって、接点ロッドが前記プローブヘッドに結合されており、前記接点ロッドは、前記プローブヘッドから得られた測定データを少なくとも受信して中継するよう構成されている装置。
【請求項１１】
請求項１に記載の装置であって、前記上側電極は、
シリコンから形成されたプラズマ対向層と、
前記プラズマ対向層に結合され、熱・電気伝導性材料から形成された１組の上層と
を備えるよう構成される装置。
【請求項１２】
請求項１１に記載の装置であって、前記１組の上層はアルミニウムから形成される装置。
【請求項１３】
請求項１１に記載の装置であって、前記１組の上層はグラファイトから形成される装置。
【請求項１４】
請求項１１に記載の装置であって、前記上側電極はスリーブを備え、前記スリーブは、雌ねじ切り部を備え、
前記雌ねじ切り部は、ねじ切り保持リングに係合されることにより、前記Ｏ−リングを圧縮して、前記プローブヘッドの前記フランジ部を前記上側電極の前記上面に向かって下方に押しつける装置。
【請求項１５】
請求項１４に記載の装置であって、前記スリーブはアルミニウムから形成される装置。
【請求項１６】
請求項１４に記載の装置であって、前記ねじ切り保持リングは、ソケットの直径よりも大きい直径を有する内部貫通孔を備え、前記ソケットは、前記プローブヘッドと電気的に接触する装置。
【請求項１７】
請求項１６に記載の装置であって、前記フランジ部の上側対向面と前記ねじ切り保持リングの下面との間に、熱接触リングが配置されており、前記熱接触リングは、前記プローブヘッドを前記ねじ切り保持リングから電気的に絶縁する装置。
【請求項１８】
請求項１６に記載の装置であって、前記熱接触リングはシリコンポリマから形成される装置。
【請求項１９】
請求項１１に記載の装置であって、前記上側電極の前記１組の上層は、雌ねじ切り部を備え、前記雌ねじ切り部は、ねじ切り保持リングに係合されることにより、前記Ｏ−リングを圧縮して、前記プローブヘッドの前記フランジ部を前記上側電極の前記上面に向かって下方に押しつける装置。
【発明の詳細な説明】
【背景技術】
【０００１】
プラズマ処理システムは、集積回路（ＩＣ）を作るための電子製品に基板を処理するために長い間利用されている。プラズマは、例えば、誘導結合プラズマ、容量結合プラズマ、マイクロ波、電子サイクロトン共鳴（ＥＣＲ）など、様々なプラズマ生成技術を用いて生成されてよい。
【０００２】
基板の処理中には、プラズマ処理チャンバ内部の様々なプロセスパラメータを正確かつ適時に監視することが、非常に望ましい。プラズマ対向プローブまたはセンサ技術は、導電材料で形成されたプローブまたはセンサの表面をプラズマに露出させることを含む技術であり、かかる監視作業に長い間利用されてきた。プロセスパラメータの測定に用いられてきたプラズマ対向監視プローブの１つのタイプは、米国特許第７，３１９，３１６号「Apparatus For Measuring A Set Of Electrical Characteristics In A Plasma」に記載されたようなイオン束プローブである。上述の米国特許第７，３１９，３１６号では、実質的にコプレーナなプローブが、プラズマ処理チャンバ内でイオン束を測定するために用いられる。測定されたイオン束は、その後、例えば、チャンバコンディショニング処理の終点を確かめる、プラズマ特性（例えば、イオン飽和電流、電子温度、浮遊電位など）を測定する、チャンバを整合させる（例えば、公称では同一であるはずのチャンバ間の差異を見つける）、チャンバ内での欠陥および問題を検出するなどの目的に利用されてよい。
【０００３】
イオン束プローブのいくつかの生産モデルがこの分野で用いられており、改良の余地があることがわかった。説明を容易にするために、図１に典型的なイオン束プローブ装置を示した。図１において、イオン束プローブ１０２は、プラズマ処理チャンバの上側電極の開口部１０４内に配置されている。上側電極は、通例、アルミニウムまたはグラファイトで形成されており、シリコンなどの適切な材料で形成されたプラズマ対向面１０６を備える。
【０００４】
イオン束プローブ１０２は、支持構造（その一部１１２が図示されている）と結合するためのステム１１０を備える。ステム１１０は、通例、アルミニウムなどの熱・電気伝導性の材料から形成される。絶縁リング１１４が、図に示すようにステム１１０を囲んでおり、開口部１０４内でステム１１０を中央に支持すると共に、上側電極の残り部分からステム１１０を電気的に絶縁するように設計されている。
【０００５】
イオン束プローブ１０２は、さらに、プラズマ対向プローブヘッド１２０を備えており、プラズマ対向プローブヘッド１２０は、（図１の例において上側電極の下方に配置される）プラズマからのパラメータの正確な測定を容易にするために、化学的および電気的に上側電極のプラズマ対向面１０６と実質的に同様になるよう設計された材料から形成される。図１の例では、プローブヘッド１２０も、シリコンから形成される。イオン束プローブ１０２および開口部１０４の間のギャップ１３６を通してチャンバ内に汚染物質が落下することを防止するために、Ｏ−リング１３０が設けられる。ギャップ１３６は、機械公差のため、また、処理サイクル中の熱膨張に対応するために存在する。Ｏ−リング１３０は、通例、弾性エラストマで形成されており、チャンバ内部のプロセスガスが上述のギャップを通して上方に抜けることを防ぐように密閉する機能も有する。
【０００６】
図に示すように、プローブヘッド１２０の周囲には、リング１３２が配置されている。リング１３２は、（図１の例の場合のように）石英、または、別の適切な誘電材料から形成されてよい。石英リング１３２は、プローブヘッド１２０を上側電極の残り部分から電気的に絶縁するよう設計される。石英リング１３２の第２の機能は、チャンバ内で生成されたプラズマの高エネルギイオンおよびラジカルによる過度の攻撃からＯ−リング１３０を保護することである。
【０００７】
しかし、イオン束プローブの設計において、および、チャンバへのイオン束プローブの取り付けにおいて、改良の余地があることがわかっている。例えば、石英リング１３２は、プローブヘッド１２０のシリコン材料とも、上側電極のプラズマ対向面１０６のシリコン材料とも異なる材料であるため、石英リング１３２の存在は、プラズマ処理中にチャンバ内で化学的負荷条件を作り出すことがわかっている。誘電体エッチング中など、特定のエッチング処理中に、石英リング１３２がエッチングされることで、チャンバ内部の化学組成またはプラズマ組成が変化し、基板上で望ましくないエッチング結果が生じうる。さらに、石英リング１３２が消費されると、上側電極の下面と、プローブヘッド１２０のプラズマ対向面との間に凹みが形成されて、「ポリマトラップ」を形成しうるため、その後の処理サイクルで基板上に粒子状汚染物質が付着する可能性が潜在的に高くなる。さらに、石英リング１３２が腐食すると、プラズマに対して提示されるプローブヘッドの形状が変化するため、イオン束プローブによる測定値に歪みを生じうる。
【０００８】
図１に見られるように、（図１の上側電極の下方に形成される）プラズマとＯ−リング１３０との間に、直接的な見通し線（ｄｉｒｅｃｔ  ｌｉｎｅ−ｏｆ−ｓｉｇｈｔ）が存在する。この直接的な見通し線は、高エネルギイオンおよびラジカルなどのプラズマ構成成分が、Ｏ−リングに到達することを許容し、それによって、Ｏ−リングの劣化を加速させる。Ｏ−リング１３０の劣化が加速すると、Ｏ−リング１３０を交換するためのメンテナンスを行う頻度が高くなるため、システムの休止時間が長くなり、プラズマシステムのスループットが低下し、プラズマ処理ツールの所有コストが高くなる。
【０００９】
図１の構成に関する別の問題は、イオン束プローブ１０２と、上側電極の残り部分との間に機械的な基準がないことに関する。イオン束プローブ１０２は、上側電極と機械的に独立した支持構造１１２に結合されるため、プローブヘッド１２０の下面が上側電極の下面０６と同一平面上にあることを保証するように、設置の際にイオン束プローブ１０２を正確に位置決めすることは困難であったことがわかっている。
【００１０】
改善可能である図１のイオン束プローブ構成の別の態様は、熱平衡に関する。正確な測定のためには、イオン束プローブ、特にイオンプローブヘッド１２０が、可能な限り迅速に上側電極の残り部分と熱平衡に達することが望ましい。しかし、図１のイオン束プローブ１０２は、支持構造１１２と機械的に結合されており、絶縁リング１１４および石英リング１３２（両方とも比較的低い熱伝導体である）を通して付随的に上側電極の残り部分と接しているだけなので、プローブヘッド１２０および上側電極の間で速やかに局所的な熱平衡を実現するという目標は、必ずしも満足に達成されていない。
【発明の概要】
【００１１】
本発明は、一実施形態では、プラズマ処理システムの処理チャンバ内のプロセスパラメータを測定するための装置に関する。装置は、上側電極の開口部内に配置されたプローブ構造を備えており、プローブ構造は、プローブヘッドを備える。プローブヘッドは、ヘッド部を備えており、ヘッド部は、プラズマ対向面を備えた円筒形のプラグであり、上側電極の開口部内に配置される。プローブヘッドは、フランジ部を備えており、フランジ部は、ヘッド部よりも大きい直径を有する中空の円筒形構造であり、上側電極の上面の上方に配置される。装置は、さらに、上側電極の上面と、プローブヘッドのフランジ部の下側対向面との間に配置されたＯ−リングを備える。装置は、さらに、プローブ構造が上側電極の開口部内に挿入された時に上側電極と接触しないように、プローブヘッドのヘッド部の垂直側壁と上側電極の開口部の垂直側壁との間に配置される電気絶縁材料から形成されたスペーサを備える。スペーサは、プローブヘッドのフランジ部の下側を支持するように少なくとも構成されたディスク部を備える。スペーサは、プローブヘッドのヘッド部を囲むよう構成された中空円筒部を備えており、中空円筒部は、ディスク部よりも小さい直径を有する。スペーサは、Ｏ−リングと処理チャンバの開口部との間に直角経路を形成することにより、Ｏ−リングと処理チャンバへの開口部との間の直接的な見通し経路（direct line-of-sight path）を防止する。
【００１２】
上述の発明の概要は、本明細書に開示された本発明の多くの実施形態の内の１つのみに関するものであり、特許請求の範囲に記載される本発明の範囲を限定する意図はない。添付の図面を参照しつつ行う本発明の詳細な説明において、本発明の上述の特徴およびその他の特徴を詳述する。
【図面の簡単な説明】
【００１３】
添付の図面では、限定ではなく例示を目的として本発明を図示する。なお、これらの添付図面においては、同様の構成要素には同様の符号が付されている。
【００１４】
【図１】従来技術のイオン束プローブ構成を示す図。
【００１５】
【図２】本発明の一実施形態に従って、改良イオン束プローブ構成を示す図。
【発明を実施するための形態】
【００１６】
以下では、添付図面に例示されたいくつかの実施形態を参照しつつ、本発明の詳細な説明を行う。以下の説明では、本発明の完全な理解を促すために、数多くの具体的な詳細事項が示されている。しかしながら、当業者にとって明らかなように、本発明は、これらの具体的な詳細事項の一部または全てがなくとも実施することが可能である。また、本発明が不必要に不明瞭となるのを避けるため、周知の処理工程および／または構造については、詳細な説明を省略した。
【００１７】
本発明の実施形態は、絶縁／スペーサリングの誘電材料（図１の石英リング１３２の石英材料など）の直接的なプラズマ暴露を排除した改良イオン束設計に関する。さらに、高アスペクト比の真空ギャップと、プラズマからＯ−リングへの鋭角の経路を用いるなど、革新的な設計変更が、Ｏ−リングの寿命を延ばすために組み込まれている。さらに、１または複数の実施形態において、改良設計は、上側電極をイオン束の機械的な基準とすることにより、プラズマ対向プローブヘッド面が、上側電極のプラズマ対向面と同一平面上に存在しうるように、イオン束プローブを正確に位置決めすることを可能にする。革新的な設計変更は、さらに、イオン束プローブと、周囲の上側電極材料との間の熱伝導率を改善し、イオン束プローブと上側電極との間の局所的な熱平衡をより速やかに実現することを可能にする。
【００１８】
本発明の実施形態の特長および利点は、以下の図面と説明を参照すれば、よりよく理解できる。図２は、本発明の１または複数の実施形態に従って、上側電極２０４内に配置された改良イオン束プローブ２０２を示す。イオン束プローブ２０２は、ソケット２０８と電気的に接触するプローブヘッド２０６を備える。プローブヘッド２０６は、一実施形態ではシリコンで形成された上側電極２０４のプラズマ対向面と同じ材料から形成される。
【００１９】
あるいは、プローブヘッド２０６は、プラズマ処理への悪影響を最小限に抑えつつ、正確なイオン束測定を可能にする別の材料から形成されてもよい。ソケット２０８は、導電材料から形成されており、例えば、ソケット２０８がアルミニウムで形成され、プローブヘッド２０６がシリコンで形成されている場合に、スズ／銀を含むはんだなどの導電性のはんだまたは結合剤を介してプローブヘッド２０６と電気的に結合される。プローブヘッド２０６によって得られた測定値を受信して中継するために、ソケット２０８内に接点ロッド（図示せず）が挿入されてよい。
【００２０】
プローブヘッド２０６は、ヘッド部２０６ａおよびフランジ部２０６ｂを有する。ヘッド部２０６ａは、上側電極２０４のプラズマ対向面２１０と同一平面上にあるプラズマ対向面２０６ｃを有するよう構成された円筒形のプラグである。フランジ部２０６ｂは、一実施形態において、ヘッド部２０６ａよりも大きい直径を有する中空の円筒形構造である。スペーサ２１２が提供されており、一実施形態では、ディスク部２１２ｂと一体化された中空円筒部２１２ａから形成される。ＳｉＮ材料は誘電体エッチングに適合性を有するため、スペーサ２１２は、一実施形態において、誘電体エッチング用途のためにＳｉＮから形成される。ただし、電気的な絶縁性を有し、想定されるプラズマ処理に適合する任意の剛体材料が、スペーサ２１２に用いられてよい。
【００２１】
中空円筒部２１２ａは、プローブヘッド２０６のヘッド部２０６ａを囲むよう構成され、ディスク部２１２ｂは、プローブヘッド２０６のフランジ部２０６ｂの下側を支持するよう構成される。２つの肩部２１６ａおよび２１６ｂが、上側電極２０４に組み込まれており、中空円筒部２１２ａおよびディスク部２１２ｂを受けるようになっている。スペーサ２１２が開口部２２０内に配置され、さらに、プローブヘッド２０６が開口部２２０内に配置されると、中空円筒部２１２ａは、図に示すように、ヘッド部２０６ａの垂直側壁と開口部２２０の側壁との間に挟まれる。さらに、ディスク部２１２ｂは、フランジ部２０６ｂの下側と、上側電極２０４で形成された上面２２６との間に挟まれる。以上のようにスペーサ２１２を挟むことにより、スペーサ２１２は、プローブヘッド２０６の垂直側壁と、周囲を上側電極２０４の材料に囲まれた開口部２２０の垂直側壁との間に、小さいギャップ２２２が形成されるように、開口部２２０内でプローブヘッド２０６を正確に位置決めするよう機能する。開口部２２０内でのプローブヘッド２０６の正確な位置は、プローブヘッド２０６と上側電極２０４の周囲材料との間の不用意な電気的短絡を防ぐために重要である。
【００２２】
図２に示すように、Ｏ−リング２２８が、上面２２６とフランジ部２０６ｂの下面との間に挟まれている。さらに、Ｏ−リング２２８は、フランジ部２０６ｂの外側に配置される。Ｏ−リング２２８は、（図２の例では上側電極２０４の下方の）チャンバ内部に汚染物質が到達することを防止すると共に、制御されていないチャンバガスの出入りの防止にも役立ち、それにより、処理の安定性を改善する。
【００２３】
ギャップ２２２は、ギャップ内でプラズマを維持することができないよう設計された高アスペクト比（すなわち、幅よりも長さがはるかに大きい）ギャップである。また、高アスペクト比ギャップは、ギャップ２２２を通る任意のラジカルが、Ｏ−リング２２８に到達する前にギャップ壁に沿って、再結合および／または中性化されうるように、ギャップ内に広い表面積を有する。スペーサ２１２によって形成されるプラズマからＯ−リングへの経路における直角ターンも、Ｏ−リング２２８に到達する高エネルギイオンの数を減少させるのに役立つ。これらの高エネルギイオンは、直角ターンの角に衝突して、Ｏ−リング２２８に到達する前に中性化されうるからである。
【００２４】
このように、改良された設計は、プラズマとＯ−リングとの間の直接的な見通し経路を回避することにより、Ｏ−リングの長寿命化に貢献する。さらに、プラズマに対して石英リングを設ける必要がないため、従来技術の構成に関連する欠点（プラズマ環境に望ましくない石英材料の存在、石英材料の意図しないエッチングによって生じる化学的負荷、および、プローブヘッドと周囲のプラズマ対向上側電極材料とのエッチングとは異なる速度で生じうる石英材料自体のエッチングなど）を排除する。その代わり、ギャップ２２２は、開口部２２０の周囲の上側電極材料からプローブヘッド２０６のヘッド部２０６ａを電気的に絶縁する絶縁ギャップ「リング」として機能する。
【００２５】
図２の例において、上側電極２０４は、プラズマ対向層に結合された１または複数の上層から形成される。プラズマ対向層２３０は、上述のように、図２の例ではシリコンであり、誘電体エッチングなどのエッチング処理に適合する材料である。上層は、アルミニウムまたはグラファイトなど、熱・電気伝導材料から形成されてよい。図２の例において、上層２３２はグラファイトである。プローブ２０２に構造的支持を提供するために、スリーブ２４０が上側電極２０４に形成される。図２の例では、スリーブ２４０は、アルミニウムから形成されるが、ステンレス鋼など、その他の構造的に適切な材料が用いられてもよい。スリーブ２４０は、一実施形態において、上側電極のグラファイト材料に結合されてよい。
【００２６】
アルミニウムスリーブ２４０は、雌ねじ切り部２４０ａおよび耳部２４０ｂを備える。雌ねじ切り部２４０ａは、アルミニウムまたはステンレス鋼などの材料から形成されてよいねじ切り保持リング２５０を収容するために雌ねじを有する。プローブヘッド２０６のフランジ部２０６ｂの上面と、ねじ切り保持リング２５０の下面との間に、熱接触リング２５２が配置される。熱接触リング２５２は、プローブヘッド２０６とねじ切り保持リング２５０との間の熱伝導を高めつつ、プローブヘッド２０６とねじ切り保持リング２５０との間の電気的絶縁機能を提供するために、例えば、シリコンポリマまたはアルミナなどの適切な材料から形成されてよい。
【００２７】
ねじ切り保持リング２５０は、アルミニウムスリーブ２４０のねじ切り部２４０ａの雌ねじに係合されて、（位置決め孔２５４を用いて）ねじ込まれると、スラストリングとして機能し、フランジ部２０６ｂを上面２２６に向かって下方に押しつけることにより、フランジ部２０６ｂをしっかりと捉え、開口部２２０内にプローブヘッド２０６を固定する。このように、上側電極２０４に対するプローブヘッド２０６の垂直方向の基準を確実に設けることにより、プローブヘッド２０６のプラズマ対向面と上側電極２０４のプラズマ対向面２１０との間で所望の同一平面を実現するように、上側電極２０４に対してプローブヘッド２０６のより正確な位置決めを行うことを可能にする。ねじ切り保持リング２５０によって提供される圧縮力は、さらに、Ｏ−リング２２８を圧縮することにより、密閉性を改善する。ねじ切り保持リング２５０は、ソケット２０８の直径よりも大きい直径を持つ内部貫通孔を有することが好ましい。このように、ソケット２０８とねじ切り保持リング２５０との間には導電路が存在しない。
【００２８】
耳部２４０ｂは、ねじ切り保持リング２５０がねじ込まれる時に、スリーブ２４０に掛かりうる回転トルクに構造的に抵抗する。また、耳部２４０ｂ（１または複数が設けられてよい）は、スリーブ２４０と上側電極の残りのグラファイト材料との間に、大きい熱接触領域を提供する。熱的には、プローブヘッド２０６から、熱接触リング２５２、ねじ切り保持リング２５０、および、アルミニウムスリーブ２４０を介して、アルミニウムスリーブ２４０を囲む上側電極材料に至る効果的な熱伝導路が存在する。このように、図１の従来技術の構成と異なり、プローブヘッド２０６は、上側電極２０４の残り部分と、より速やかに熱平衡に到達しうるため、それにより、非常に長い熱安定化期間を待つ必要なしに、より正確および／またはより適時に測定を行うことを可能にする。
【００２９】
上側電極２０４の上層２３２が、ねじ切り保持リング２５０のねじ山に対応するねじ穴を構造的に形成できる材料（アルミニウムまたはステンレス鋼など）から形成される場合、スリーブ２４０を取り除いてもよいことに注意されたい。この場合、ねじ山は、上側電極２０４の材料に直接形成されてよい。また、ソケット２０８は、利便性のために設けられているため、一実施形態では取り除かれてもよい。ソケット２０８が取り除かれる場合、接点ロッドは、必要に応じて、プローブヘッド２０６に直接結合されてよい。
【００３０】
以上、いくつかの好ましい実施形態を参照しつつ本発明を説明したが、本発明の範囲内で、種々の代替物、置換物、および、等価物が可能である。例えば、イオン束プローブを用いて、プローブの位置決めおよび設置のための革新的な構造を説明したが、本願の革新的な機械構造および構成は、プラズマ処理中の１または複数のパラメータの測定を容易にするために、任意のプラズマ対向センサを任意のチャンバ面（上側電極を含むがそれに限定されない）上に正確に位置決めして取り付けるのに用いられてもよい。かかるセンサの例は、自励電子共振分光法（ＳＥＥＲＳ）、ラングミュアプローブ、または、それらの変形を含むがこれらに限定されない。また、本発明の方法および装置を実施する他の態様が数多く存在することにも注意されたい。本明細書では様々な例を提供したが、これらの例は、例示を目的としたものであり、本発明を限定するものではない。
例えば、本発明は、以下の適用例としても実施可能である。
［適用例１］プラズマ処理システムの処理チャンバ内のプロセスパラメータを測定するための装置であって、
上側電極の開口部内に配置され、プローブヘッドを備えたプローブ構造であって、前記プローブヘッドは、
プラズマ対向面を備えた円筒形のプラグであり、前記上側電極の前記開口部内に配置されたヘッド部と、
前記ヘッド部よりも大きい直径を有する中空の円筒形構造であり、前記上側電極の上面の上方に配置されたフランジ部とを備えるプローブ構造と、
前記上側電極の前記上面と、前記プローブヘッドの前記フランジ部の下側対向面との間に配置されたＯ−リングと、
前記プローブ構造が前記上側電極の前記開口部内に挿入された時に前記上側電極と接触しないように、前記プローブヘッドの前記ヘッド部の垂直側壁と前記上側電極の前記開口部の垂直側壁との間に配置される電気絶縁材料から形成されたスペーサであって、
前記プローブヘッドの前記フランジ部の下側を支持するように少なくとも構成されたディスク部と、
前記プローブヘッドの前記ヘッド部を囲むよう構成され、前記ディスク部よりも小さい直径を有する中空円筒部とを備えるスペーサと
を備え、
前記スペーサは、前記Ｏ−リングと前記処理チャンバへの開口部との間に直角経路を形成することによって、前記Ｏ−リングと前記処理チャンバへの前記開口部との間の直接的な見通し経路を防止する、装置。
［適用例２］適用例１に記載の装置であって、前記プローブ構造はイオン束プローブである装置。
［適用例３］適用例１に記載の装置であって、前記プローブヘッドはシリコンから形成される装置。
［適用例４］適用例１に記載の装置であって、前記プローブヘッドの前記プラズマ対向面は、前記上側電極のプラズマ対向面と同一平面上にある装置。
［適用例５］適用例１に記載の装置であって、前記スペーサは窒化シリコン（ＳｉＮ）から形成される装置。
［適用例６］適用例１に記載の装置であって、前記スペーサは、前記ヘッド部の前記垂直側壁と前記上側電極の前記開口部の前記垂直側壁との間に高アスペクト比のギャップを形成し、前記高アスペクト比のギャップは、水平方向の幅よりも大きい垂直方向の長さを有する装置。
［適用例７］適用例１に記載の装置であって、前記プローブヘッドは、導電材料から形成されたソケットと電気的に接触する装置。
［適用例８］適用例７に記載の装置であって、前記プローブヘッドは、導電性のはんだによって前記ソケットに結合される装置。
［適用例９］適用例８に記載の装置であって、接点ロッドが前記ソケット内に挿入されており、前記接点ロッドは、前記プローブヘッドから得られた測定データを少なくとも受信して中継するよう構成されている装置。
［適用例１０］適用例１に記載の装置であって、接点ロッドが前記プローブヘッドに結合されており、前記接点ロッドは、前記プローブヘッドから得られた測定データを少なくとも受信して中継するよう構成されている装置。
［適用例１１］適用例１に記載の装置であって、前記上側電極は、
シリコンから形成されたプラズマ対向層と、
前記プラズマ対向層に結合され、熱・電気伝導性材料から形成された１組の上層と
を備えるよう構成される装置。
［適用例１２］適用例１１に記載の装置であって、前記１組の上層はアルミニウムから形成される装置。
［適用例１３］適用例１１に記載の装置であって、前記１組の上層はグラファイトから形成される装置。
［適用例１４］適用例１１に記載の装置であって、前記上側電極はスリーブを備え、前記スリーブは、雌ねじ切り部および耳部を備える装置。
［適用例１５］適用例１４に記載の装置であって、前記スリーブはアルミニウムから形成される装置。
［適用例１６］適用例１４に記載の装置であって、前記雌ねじ切り部は、ねじ切り保持リングに係合されることにより、前記Ｏ−リングを圧縮して、前記プローブヘッドの前記フランジ部を前記上側電極の前記上面に向かって下方に押しつける装置。
［適用例１７］適用例１６に記載の装置であって、前記ねじ切り保持リングは、ソケットの直径よりも大きい直径を有する内部貫通孔を備え、前記ソケットは、前記プローブヘッドと電気的に接触する装置。
［適用例１８］適用例１７に記載の装置であって、前記フランジ部の上側対向面と前記ねじ切り保持リングの下面との間に、熱接触リングが配置されており、前記熱接触リングは、前記プローブヘッドを前記ねじ切り保持リングから電気的に絶縁する装置。
［適用例１９］適用例１７に記載の装置であって、前記熱接触リングはシリコンポリマから形成される装置。
［適用例２０］適用例１１に記載の装置であって、前記上側電極の前記１組の上層は、雌ねじ切り部を備え、前記雌ねじ切り部は、ねじ切り保持リングに係合されることにより、前記Ｏ−リングを圧縮して、前記プローブヘッドの前記フランジ部を前記上側電極の前記上面に向かって下方に押しつける装置。
【００３１】
また、発明の名称および発明の概要は、便宜上、本明細書で提供されているものであり、特許請求の範囲を解釈するために用いられるべきものではない。さらに、要約書は、非常に簡潔に書かれており、便宜上提供されているものであるため、特許請求の範囲に記載された発明全体を解釈または限定するために用いられるべきではない。「セット」という用語が用いられている場合には、かかる用語は、一般的に理解される数学的な意味を持ち、０、１、または、２以上の要素を網羅するよう意図されている。また、以下に示す特許請求の範囲は、本発明の真の趣旨および範囲内に含まれる代替物、置換物、および、等価物の全てを網羅するものとして解釈される。
【符号の説明】
【００３２】
１０２…イオン束プローブ
１０４…開口部
１０６…プラズマ対向面
１１０…ステム
１１２…支持構造
１１４…絶縁リング
１２０…プラズマ対向プローブヘッド
１３０…Ｏ−リング
１３２…リング
１３６…ギャップ
２０２…イオン束プローブ
２０４…上側電極
２０６…プローブヘッド
２０６ａ…ヘッド部
２０６ｂ…フランジ部
２０６ｃ…プラズマ対向面
２０８…ソケット
２１０…プラズマ対向面
２１２…スペーサ
２１２ａ…中空円筒部
２１２ｂ…ディスク部
２１６ａ…肩部
２１６ｂ…肩部
２２０…開口部
２２２…ギャップ
２２６…上面
２２８…Ｏ−リング
２３０…プラズマ対向層
２３２…上層
２４０…スリーブ
２４０ａ…雌ねじ切り部
２４０ｂ…耳部
２５０…保持リング
２５２…熱接触リング
２５４…位置決め孔
【図１】
0005661622.tif 000002
【図２】
0005661622.tif 000003